(57)【要約】【課題】シール部材の取り付け忘れを抑制できる電池パック用筐体の封止構造を提供する。【解決手段】電池パック用筐体の封止構造１は、第１の開口部１１を有する筐体２と、第１の開口部１１に対応して筐体２内に配置された基部２１、及び基部２１に立設されて第１の開口部１１から突出する接続端子２２を有する端子台３と、筐体２の外側に配置され、接続端子２２を挿通させる第２の開口部３１を有するカバー部材４と、カバー部材４における第２の開口部３１の開口縁部３１ａと端子台３の基部２１との間に配置されたシール部材５と、を備え、シール部材５の内径Ｒ２は、第２の開口部３１の開口径Ｓ２よりも小径となっている。【選択図】図１
2018037209.tif 000002
【特許請求の範囲】
【請求項１】
第１の開口部を有する筐体と、
前記第１の開口部に対応して前記筐体内に配置された基部、及び前記基部に立設されて前記第１の開口部から突出する接続端子を有する端子台と、
前記筐体の外側に配置され、前記接続端子を挿通させる第２の開口部を有するカバー部材と、
前記カバー部材における前記第２の開口部の開口縁部と前記端子台の前記基部との間に配置されたシール部材と、を備え、
前記シール部材の内径は、前記第２の開口部の開口径よりも小径となっている電池パック用筐体の封止構造。
【請求項２】
第１の開口部を有する筐体と、
前記第１の開口部に対応して前記筐体内に配置された基部、及び前記基部に立設されて前記第１の開口部から突出する接続端子を有する端子台と、
前記筐体の外側に配置され、前記接続端子を挿通させる第２の開口部を有するカバー部材と、
前記カバー部材における前記第２の開口部の開口縁部と前記端子台の前記基部との間に配置されたシール部材と、を備え、
前記カバー部材の外側から見て、前記第２の開口部内に前記シール部材の内周部が露出している電池パック用筐体の封止構造。
【請求項３】
前記第２の開口部の前記開口縁部は、前記接続端子の外周面に螺合されたフランジ付き締結部材によって、前記基部との間で前記シール部材を押圧している請求項１又は２記載の電池パック用筐体の封止構造。
【発明の詳細な説明】
【技術分野】
【０００１】
本発明は、電池パック用筐体の封止構造に関する。
【背景技術】
【０００２】
従来の電池パックとして、例えば特許文献１に記載の二次電池装置がある。この従来の二次電池装置は、電池セルを配列してなる電池モジュールを複数段に重ねた電池積層アッセンブリを箱状の筐体内に収容することによって構成されている。
【先行技術文献】
【特許文献】
【０００３】
【特許文献１】特開２０１１−５４３５３号公報
【発明の概要】
【発明が解決しようとする課題】
【０００４】
上述のような電池パックには、例えば外部機器に電池パックからの電力を供給するための電力用ハーネス、或いは各種機器との情報通信に用いられる通信用ハーネスなどが接続される場合がある。ハーネスの接続にあたっては、例えば筐体の壁部に設けた開口部から露出する端子台にハーネスの端子部を固定する構成を採り得る。
【０００５】
一方、筐体の壁部に開口部を設ける場合には、ハーネスを端子台に接続した後、筐体の開口部を封止する必要がある。この場合、シール部材を介して筐体にカバー部材を固定することにより、筐体の開口部を封止する構成が考えられるが、カバー部材の固定にあたってシール部材の取り付け忘れなどが生じないように、組立上の工夫がなされていることが好適である。
【０００６】
本発明は、上記課題の解決のためになされたものであり、シール部材の取り付け忘れを抑制できる電池パック用筐体の封止構造を提供することを目的とする。
【課題を解決するための手段】
【０００７】
本発明の一側面に係る電池パック用筐体の封止構造は、第１の開口部を有する筐体と、第１の開口部に対応して筐体内に配置された基部、及び基部に立設されて第１の開口部から突出する接続端子を有する端子台と、筐体の外側に配置され、接続端子を挿通させる第２の開口部を有するカバー部材と、カバー部材における第２の開口部の開口縁部と端子台の基部との間に配置されたシール部材と、を備え、シール部材の内径は、第２の開口部の開口径よりも小径となっている。
【０００８】
この電池パック用筐体の封止構造では、端子台の基部に配置されたシール部材の内径が、カバー部材に設けられた第２の開口部の開口径よりも小径となっている。これにより、筐体の外側にカバー部材を取り付ける際、第２の開口部からシール部材の内周部が露出し、シール部材の有無を視認によって容易に確認することが可能となる。したがって、シール部材の取り付け忘れを抑制できる。
【０００９】
また、本発明の一側面に係る電池パック用筐体の封止構造は、第１の開口部を有する筐体と、第１の開口部に対応して筐体内に配置された基部、及び基部に立設されて第１の開口部から突出する接続端子を有する端子台と、筐体の外側に配置され、接続端子を挿通させる第２の開口部を有するカバー部材と、カバー部材における第２の開口部の開口縁部と端子台の基部との間に配置されたシール部材と、を備え、筐体の外側から見て、第２の開口部内にシール部材の内周部が露出している。
【００１０】
この電池パック用筐体の封止構造では、カバー部材の外側から見て、第２の開口部内にシール部材の内周部が露出している。これにより、筐体の外側にカバー部材を取り付ける際、シール部材の有無を視認によって容易に確認することが可能となる。したがって、シール部材の取り付け忘れを抑制できる。
【００１１】
また、第２の開口部の開口縁部は、接続端子の外周面に螺合されたフランジ付き締結部材によって、基部との間でシール部材を押圧していてもよい。第２の開口部からシール部材の内周部を露出させる構成では、シール部材の内周部を露出させない構成と比較して、第２の開口部の開口径が相対的に大きくなる。このため、フランジ付き締結部材を用いることで、カバー部材を端子台の基部に対して十分な締結力で締結でき、カバー部材の開口縁部によってシール部材をしっかりと押圧できる。
【発明の効果】
【００１２】
本発明によれば、シール部材の取り付け忘れを抑制できる。
【図面の簡単な説明】
【００１３】
【図１】電池パック用筐体の封止構造の一実施形態を示す断面図である。
【図２】筐体に対するカバー部材の取り付けの様子を示す断面図である。
【図３】図２の平面図である。
【発明を実施するための形態】
【００１４】
以下、図面を参照しながら、本発明の一側面に係る電池パック用筐体の封止構造の好適な実施形態について詳細に説明する。
【００１５】
図１は、電池パック用筐体の封止構造の一実施形態を示す断面図である。この電池パック用筐体の封止構造１は、例えばフォークリフト、ハイブリッド自動車、電気自動車などの各種車両のバッテリとして搭載される電池パックの筐体に適用される封止構造である。図１に示すように、電池パック用筐体の封止構造１は、筐体２と、端子台３と、カバー部材４と、シール部材５とによって構成されている。
【００１６】
筐体２は、例えば金属によって略直方体形状の箱型に構成されている。筐体２の内部には、例えば複数の電池モジュール、ジャンクションボックス等が収容されている。電池モジュールは、例えばブラケットを介して筐体２の内壁に固定されている。電池モジュールは、例えばリチウムイオン二次電池などの蓄電モジュールであり、複数の電池セルを配列してなる配列体と、配列体の配列方向に拘束荷重を付加する拘束部材などを含んで構成されている。筐体２内の各電池モジュールは、ハーネスによってジャンクションボックスにそれぞれ接続されている。
【００１７】
ジャンクションボックスには、例えばリレー、ケーブル、及び電池パックの制御を行う制御ＥＣＵ（Electronic Control Unit）などが収容されている。ジャンクションボックスは、例えばブラケットを介して筐体２の内壁に固定されている。
【００１８】
筐体２の壁部２ａには、例えば断面円形の第１の開口部１１が設けられている。壁部２ａは、例えば筐体２の頂部を構成する壁部である。第１の開口部１１は、筐体２の内部に収容された電池モジュールと、電池パックが搭載される車両側から延びるハーネスＶとの接続口となっている。筐体２の内部には、例えばジャンクションボックスから延びるバスバー１２が配置されており、バスバー１２の先端部分１２ａが第１の開口部１１の真下の位置まで延在している。バスバー１２の先端部分１２ａには、端子台３を固定するための貫通孔１４が設けられている。
【００１９】
端子台３は、ハーネスＶの接続に用いられる部材である。端子台３は、例えば基部２１と、基部２１上に立設された接続端子２２とを有している。基部２１は、例えば銅などの導電性を有する部材によって円筒形状に形成され、第１の開口部１１に対応して筐体２内に配置されている。基部２１の基端面２１ａには、雄ネジ部２３が設けられている。端子台３は、雄ネジ部２３をバスバー１２の貫通孔１４に螺合し、貫通孔１４から突出する雄ネジ部２３の先端にナット２４を締結することにより、バスバー１２の先端部分１２ａに対して固定されている。
【００２０】
接続端子２２は、基部２１と同様に、例えば銅などの導電性を有する部材によって、基部２１よりも小径の中空の円筒形状に形成されている。接続端子２２の内周面２２ａには、固定ボルトＫの締結に用いられる雌ネジ部２６が設けられている。また、接続端子２２の外周面２２ｂには、後述するフランジ付きナット（フランジ付き締結部材）３２の締結に用いられる雄ネジ部２７が設けられている。
【００２１】
接続端子２２に接続されるハーネスＶは、例えば外部機器に電池パックからの電力を供給するための電力用ハーネスである。ハーネスＶの先端部分には、丸端子Ｖａが設けられている。ハーネスＶは、丸端子Ｖａを通した固定ボルトＫの軸部Ｋａを接続端子２２の内周面２２ａの雌ネジ部２６に螺合することにより、接続端子２２に対して固定されている。
【００２２】
カバー部材４は、接続端子２２及びその近傍を囲うように筐体２の外側に取り付けられる部材である。カバー部材４は、例えばポリプロピレン等の樹脂によって板状に形成されている。カバー部材４の壁部４ａには、筐体２側の第１の開口部１１よりも小径の第２の開口部３１が設けられている。壁部４ａは、例えばカバー部材４の底部を構成する壁部である。カバー部材４は、第１の開口部１１と第２の開口部３１とが同心となるように筐体２の外側に配置され、接続端子２２は、第１の開口部１１及び第２の開口部３１を挿通して筐体２の外側に突出した状態となっている。
【００２３】
シール部材５は、カバー部材４と端子台３との間を封止する部材である。シール部材５は、例えば樹脂によって環状に形成されている。シール部材５は、接続端子２２に通され、第１の開口部１１及び第２の開口部３１と同心となるように端子台３における基部２１の先端面２１ｂ側に配置されている。
【００２４】
シール部材５の外径Ｒ１は、第１の開口部１１の開口径Ｓ１よりも小径となっており、かつ第２の開口部３１の開口径Ｓ２よりも大径となっている。また、シール部材５の内径Ｒ２は、第２の開口部３１の開口径Ｓ２よりも小径となっている。したがって、カバー部材４の外側からみて、第２の開口部３１内にシール部材５の内周部５ａが露出するようになっている。
【００２５】
本実施形態では、シール部材５の圧縮には、フランジ付きナット３２が用いられている。フランジ付きナット３２は、接続端子２２の外周面２２ｂに設けられた雄ネジ部２７に螺合されている。これにより、第２の開口部３１の開口縁部３１ａと基部２１の先端面２１ｂとの間でシール部材５が押圧されて厚さ方向に圧縮され、カバー部材４と端子台３との間が気密に封止されている。なお、第２の開口部３１内に露出しているシール部材５の内周部５ａは、開口縁部３１ａで押圧されないため、カバー部材４と端子台３との間の封止には寄与しないが、開口縁部３１ａと基部２１の先端面２１ｂとの間でシール部材５の外周部５ｂが圧縮されることでシール部材５のシール性が十分に発揮される。
【００２６】
以上のような電池パック用筐体の封止構造１を形成するにあたっては、まず、筐体２内においてバスバー１２に固定された端子台３の基部２１にシール部材５を取り付ける。次に、第１の開口部１１と第２の開口部３１とが同心となるようにカバー部材４を位置合わせし、第１の開口部１１及び第２の開口部３１から接続端子２２が突出するようにカバー部材４を筐体２の外側に配置する。
【００２７】
この状態において、上述したように、端子台３の基部２１に配置されたシール部材５の内径Ｒ２は、カバー部材４に設けられた第２の開口部３１の開口径Ｓ２よりも小径となっている。このため、図２及び図３に示すように、筐体２の外側にカバー部材４を取り付ける際、第２の開口部３１内に露出しているシール部材５の内周部５ａをカバー部材４の外側から視認することが可能となる。したがって、第２の開口部３１からカバー部材４の内周部５ａが視認できるか否かに基づいて、シール部材５の取り付け忘れを抑制することができる。
【００２８】
シール部材５の内周部５ａが第２の開口部３１から視認できることを確認した後、フランジ付きナット３２を接続端子２２の外周面２２ｂの雄ネジ部２７に螺合する。これにより、第２の開口部３１の開口縁部３１ａと基部２１との間でシール部材５を押圧し、カバー部材４と端子台３との間を気密に封止する。その後、固定ボルトＫを接続端子２２の内周面２２ａの雌ネジ部２６に螺合し、ハーネスＶを接続端子２２に接続することで、図１に示した電池パック用筐体の封止構造１が形成される。
【００２９】
本実施形態では、接続端子２２の外周面２２ｂに螺合されたフランジ付きナット３２によって、第２の開口部３１の開口縁部３１ａが端子台３の基部２１との間でシール部材５を押圧している。上述のように第２の開口部３１からシール部材５の内周部５ａを露出させる構成では、シール部材５の内周部５ａを露出させない構成と比較して、第２の開口部３１の開口径Ｓ２が相対的に大きくなり易い。これに対し、シール部材５の押圧部材としてフランジ付きナット３２を用いることで、カバー部材４を端子台３の基部２１に対して十分な締結力で締結でき、カバー部材４の開口縁部３１ａによってシール部材５をしっかりと押圧できる。
【符号の説明】
【００３０】
１…電池パック用筐体の封止構造、２…筐体、３…端子台、４…カバー部材、５…シール部材、５ａ…内周部、１１…第１の開口部、２１…基部、２２…接続端子、２２ｂ…外周面、３１…第２の開口部、３１ａ…開口縁部、３２…フランジ付きナット（フランジ付き締結部材）、Ｒ２…シール部材の内径、Ｓ２…第２の開口部の開口径。
【図１】
2018037209.tif 000003
【図２】
2018037209.tif 000004
【図３】
2018037209.tif 000005